(57)【特許請求の範囲】
【請求項１】
種々の形式の建物、種々の目的のために設計された水槽、タンクおよび容器、および車両、列車および船舶等の構造体におけるスペース（４）の火災（２）の際に、燃焼ガスの排気および火災消火の目的のために、屋根（１）、壁等に少なくとも一つの穴を形成するための救出業務方法であって、前記少なくとも一つの穴は、圧力液体（３）を用いて切断作用により形成され、前記圧力液体（３）は、切断作用の間はジェット（５）形状で火炎スペース（４）内へスプレイされ、前記スプレイは、迅速に蒸発されそしてこれにより火災（２）の消火に貢献し、燃焼ガス（５）は切断された一つまたは複数の穴（２５）を通って排出される救出業務方法において、
前記圧力液体（３）は研磨剤（１４）を含みまたは研磨剤（１４）がこれに付加され、および圧力液体（３）の圧力は１００−３００バールにまた流量は２０−６０リットル／分に設定され、この圧力液体（３）の切断作用により形成された穴を貫通することにより圧力液体（３）がミスト（３０）に変換される液体ジェット形状（５）で火炎スペース（４）内へスプレイされた後に蒸発されることを特徴とする救出業務方法。
【請求項２】
種々の形式の建物、種々の目的のために設計された水槽、タンクおよび容器、および車両、列車および船舶等の構造体におけるスペース（４）の火災（２）の際に、燃焼ガスの排気および火災消火の目的のために、屋根（１）、壁等に少なくとも一つの穴を形成するための救出業務作業用の装置であって、圧力液体（３）の出口（９）を備える圧力媒体源（８）と、導管（１０）と、入口（１２）および出口（１３）を備えるノズル（１１）とを有し、前記導管はその一端部を圧力媒体源（８）の出口（９）に一方他端部をノズル（１１）の入口（１２）に接続されることにより圧力液体（３）を圧力媒体源（８）からノズル（１１）の出口（１３）へ供給し、ここからこの圧力液体（３）が、ジェット（５）形状で放出されそして屋根（１）、壁等へ向け指向されることにより前記屋根、壁等が切断貫通されて前記少なくとも一つの穴が形成されると共に、更にこの切断貫通に伴って火炎スペース（４）内へスプレイされることにより火災（２）の消火に助勢される救出業務作業用の装置において、
研磨剤（１４）を収容する少なくとも一つの容器（１５）が導管（１０）に対し圧力媒体源（８）とノズル（１１）との中間点において接続されることにより、研磨剤（１４）が圧力液体に対し調節可能に付加されて切断効率を増大し、圧力媒体源（８）はモータ（１６）で駆動される少なくとも一つの高圧ポンプ（１７）から形成され、このポンプは圧力１００−３００バールおよび流量２０−６０リットル／分の圧力液体（３）を吐出し、この圧力液体（３）の切断作用により形成された穴を貫通することにより圧力液体（３）がミスト（３０）に変換される液体ジェット形状（５）で火炎スペース（４）内へスプレイされた後、蒸発され、且つノズル（１１）は、全方向へ移動可能なアーム（１８）の外側自由端部に配置されることを特徴とする救出業務作業用の装置。
【請求項３】
アーム（１８）は作動手段（１９）を介して全方向へ移動可能であり、ブラケット（２０）がアーム（１８）に対しその外側自由端部に連結されて動力操作の回転装置（２１）を支持し、この回転装置上にホルダ（２３）が中心軸線（２２）周りを回転するよう装着されると共に、このホルダ（２３）はその回転装置（２１）から離間する側の端部に屋根（１）、壁等に対して支持的に対接されるサポート（２４）を備え、およびノズル（１１）はホルダ（２３）に対し連結されると共にその中心軸線（２２）に関しスペース関係を持つよう平行に位置され、これにより前記ノズル（１１）が、回転装置（２１）によるホルダ（２３）の回転に際して、中心軸線周りを旋回されて屋根（１）、壁等内に実質的に円形の穴（２５）を切断することを特徴とする請求項２記載の救出業務作業用の装置。
【請求項４】
消防隊自動車、好適には操作者室（２８）付きの上昇機構を含む自動車に装着され、前記アーム（１８）は室（２８）に対しそのノズル（１１）から離間する側の端部に移動可能に連結され、前記導管（１０）は操作者室（２８）と消防隊車両（２７）の車台（２９）等との間に延在され、前記車台等の上に圧力媒体源（８）、研磨剤（１４）を収容する容器（１５）および付属装置が搭載されることを特徴とする請求項２または３に記載の装置。
【請求項５】
少なくともアーム（１８）およびノズル（１１）は、作動手段（１９）および／または回転装置（２１）を介して、操作者室（２８）からおよび／または穴開け領域の近接領域から離間する別の場所から遠隔操作されることを特徴とする請求項２乃至４のいずれかに記載の装置。
【発明の詳細な説明】
【０００１】
本発明は、一般には救出業務作業に使用するための方法および装置であって、事故またはその他緊急事態の際に、ガスおよび液体を排出して生命および財産等を救出すべく、種々の形式の建物、種々の目的のために設計された水槽、タンクおよび容器、および車両、列車および船舶等の構造体に少なくとも一つの穴を形成するための、および、上述した構造体の消火時に、燃焼ガスの排出および特に火災消火の目的のために、屋根、壁等に穴を形成するための方法および装置に関する。
【０００２】
簡単に言えば、燃焼ガスの排気は、火災の場合には、この火災の間に発生されるガスの影響による火災の拡大および発展を抑制することを含む。実際的には、このことは、燃焼ガスを冷却し、そしてこれを、放出のために形成される穴またはハッチ、窓、明り窓、天窓等を介して大気中に放出することを意味する。燃焼ガスの排気の目的は、主として、人間および家畜の安全な避難を可能にして生命および財産の救出可能性を向上し、救出隊員に増大された消火および侵入の可能性を提供して火災を抑制し且つ過大な圧力および温度を抑制すること等である。  火災排気および火災消火の目的のための穴開けは、現在は、本質的に斧、かな梃、および解体用鉄バール、角度研磨および／または切削機械等の手持ち工具手段によって行われている。更に最近の装置および方法では、爆発的機構が使用され、そしてこの場合には、穴は爆発物の作用で形成される。しかしながら、この目的のための爆発的機構は、比較的高価であると共に、特に貯蔵および取扱い条件に引続き厳重な注意を必要とする爆発物が含まれている。
【０００３】
手動操作の道具および／または爆発的機構またはこれらのいずれを使用するに関係なく、この種の装置を用いる作業は極めて危険である。このことは、先ず、救出隊員は、穴を形成するために火災建物上の、例えば、広い平坦なまたは多少とも濡れて傾斜した屋根上を歩行しなければならないこと、および前記道具および爆発機構を取扱うことはそのこと自体が危険であって、操作者が投出されまたは挾まれ、また特に爆発機構を取扱う場合には早爆の危険を伴うことによる。
【０００４】
本発明の主たる目的は、上述した危険および不利益を可能な限り排除すると共に、序文に概述した形式の構造体内に穴を形成する、救出業務作業に使用するための新規で効率的且つ安全な方法および装置を提供することにある。
【０００５】
この方法によれば、この主目的は、下記のようにして、すなわち、前記一つまたは複数の穴が圧力液体を用いて切断手段により形成され、この圧力液体が切断作用の間はジェット形状で当該構造体内へスプレイされ、そしてガスおよび液体が排出されて生命および財産が救出されるようにして達成される。
【０００６】
この装置によれば、この主目的は、下記のようにして、すなわち、圧力液体の出口を備える圧力媒体源と、導管と、および入口および出口を備えるノズルとを有し、前記導管はその一端部を圧力媒体源の出口に一方他端部をノズルの入口に接続されることにより圧力液体を圧力媒体源からノズルの出口へ供給し、ここからこの液体が、ジェット形状で放出されて当該構造体へ向け指向されることにより前記構造体を切断貫通して前記所要の穴を形成すると共に、更にこの切断貫通に伴ってジェット形状で構造体内へスプレイしてガスおよび液体を排出し生命および財産を救出することにより達成される。
【０００７】
この方法の更なる目的は、燃焼ガスを排気し火災を消火するために、前記概述した形式の構造体の消火用の、屋根、壁等における少なくとも一つの穴を形成するための、上記方法および装置を提示することにある。
【０００８】
この方法によれば、この更なる目的は、下記のようにして、すなわち、前記一つまたは複数の穴が圧力液体を用いて切断手段により形成され、この圧力液体が切断作用の間はジェット形状で火炎スペース内へスプレイされ、このスプレイが迅速に蒸発されることにより火災の消火に貢献され、燃焼ガスは切断された前記一つまたは複数の穴を通って排出することにより達成される。
【０００９】
この更なる目的を達成するための装置は、下記のように、すなわち、圧力液体の出口を備える圧力媒体源と、導管と、および入口および出口を備えるノズルとを含み、前記導管がその一端部を圧力媒体源の出口に一方他端部をノズルの入口に接続されることにより圧力液体が圧力媒体源からノズルの出口へ供給され、ここからこの圧力液体が、ジェット形状で放出されて屋根、壁等へ向け指向されることにより前記屋根、壁等を切断貫通して前記少なくとも一つの穴を形成すると共に、更にこの切断貫通に伴って火災の当該構造体内へスプレイされることにより火災の消火が助勢されるように構成されている。
【００１０】
本発明によれば、救出業務作業に使用するための、序文に規定される形式の構造体、特にこの形式の火災中の構造体に穴を形成する、極めて迅速で効率的且つ特に安全な方法および装置が提供される。
【００１１】
実験によれば、例えば全体厚さが２０−３０cmの外側ルーフシート、断熱層および内側ルーフシートからなる通常の屋根構造が僅か数秒で切断され、その切断速度は１ｍ／分に達した。この方法および装置で得られる注目さるべき安全性は、切削工具、爆発的機構およびこの種の装置を使用する場合とは異なり、本発明のこの方法および装置はそれ自体では熱および／またはスパークを発生しないと言う事実に基因する。
【００１２】
次に、本発明を、幾つかの可能な実施例の中で特に現在好適なものを示す添付図面を参照しながら、以下更に詳細に説明する。
【００１３】
火災２の際に、燃焼ガスを排出する目的および消火のために、建物の屋根１（図４参照）、壁、ドア等、またはこれらのもの（詳細は示さず）に穴開けするための本発明の方法によれば、前記穴開けは、圧力液体３を用いて切断作用により行われ、前記圧力液体３は切断作用の間はジェット５の形状で火災の建物等の火炎スペース４内へスプレイされ、そして前記スプレイが迅速に蒸発されることにより火災の消火に貢献し、燃焼ガスは切断穴を通り排出される。
【００１４】
液体は、通常は普通の水であるが、しかしながら原則的には、穴開けおよび／または消火の性能を向上するため、これに一つまたは幾つかの液体および／または特別の添加剤が付加される。この種の一つの添加剤は、屋根１等を貫通する切削速度を増大する砂またはその他の研磨物質を含む爆破性媒体（blasting medium）等の研磨剤１４である。別の添加剤は発泡剤等であるが、これは、液体３が燃焼スペース４内へスプレイされている際に同時に発生される蒸気と結合するための泡を発生することにより、火災２内の温度を急速に降下して効果的な消火に更に貢献する。液体のジェット５は、蒸発に先立ち微細分割液体の噴霧３０に変換されることにより、効果的な消火に付加的に貢献する。
【００１５】
上記方法に適用するための、全体的に参照符号７で図示される装置は、下記の主要要素、すなわち、圧力液体３の出口９を有する圧力媒体源８と、導管１０と、および入口１２および出口１３を有するノズル１１とを含む。導管１０は、その一端部を圧力媒体源８の出口９に一方他端部をノズル１１の入口１２に接続されることにより、圧力液体を圧力媒体源８からノズル１１の出口１３へ供給する。上記ジェット５形状の圧力液体は、放出されそして屋根１、壁等へ向けて指向されることにより前記屋根１、壁等を切断貫通して穴を形成すると共に、更にこの切断貫通に伴って火炎スペース４内へスプレイされることにより火災２の消火に助勢する。
【００１６】
上記装置７は、また、上述した研磨剤１４を収容する容器１５を含む。この容器１５は、導管１０に対し圧力媒体源８とノズル１１との中間点で接続されて研磨剤１４を液体３に対し調節可能に付加することにより、上述したように、穴開けおよび切断の効率を向上する。
【００１７】
上述した好適な図示実施例において、圧力媒体源８は、好適にはモータ１６で駆動され高圧ポンプ１７から形成される。図示実施例における場合のように、モータは、ポンプまたはエンジン（図示せず）、例えば、内燃エンジンで駆動される水圧モータであって良い。モータ１６は、高圧ポンプ１７と同じく、通常は普通の設計からなる。高圧ポンプ１７の容量は、その圧力が１００−３００バールのオーダ、好適には約２００バールで、その流量が２０−６０リットル／分のオーダ、好適には約４０リットル／分の圧力液体３を放出できるようなポンプに設定される。ある適用では、圧力は上記数値を越えて４００バールまたはそれ以上までに達することができ、また流量も上記を越えて１００リットル／分またはそれ以上までに達することができる。
【００１８】
装置７の一部を形成するノズル１１は、アーム１８の外側自由端部に支持されている。このアームは、作動手段１９、好適には水圧ピストンシリンダ・ユニットで作動される際に全方向へ動作されるよう装着されている。ブラケット２０がアーム１８に対してその外側自由端部に連結され、そして、好適には水圧手段で駆動される動力操作の回転装置２１を支持している。この回転装置上には実質的環状の円筒ホルダ２３が装着されており、そしてこのホルダは、中心軸線２２周りに回転可能であると共に、回転装置２１から離間する側の端部には中心軸線２２内に位置するサポート２４を形成されている。このサポートは、好適には、屋根１、壁等に対して対接支持されるよう幾らか尖頭のスタッド形状に設計されている。
【００１９】
ノズル１１は、ホルダ２３に連結されると共にその中心軸線２２に対しスペース関係を持つようこの中心軸線と実質的平行に位置されており、そしてこれにより前記ノズル１１は、回転装置２１手段によるホルダの回転に際して、中心軸線周りを旋回されることにより屋根１、壁等に実質的円形の穴２５を切断するように構成されている。
【００２０】
可動アーム１８を作動手段１９を介して旋回し（図４参照）、少なくとも一つの穴２５を互いに隣接し且つ部分的に重ね合わせよう形成することにより（図４参照）、大きな穴２６（図４のハッチ領域）を形成して更に効率的な燃焼ガス排気および火炎消火を達成する。
【００２１】
装置に組込まれる上記要素の大きさおよび重さによって、この全装置またはその部分は手／手持ちにより運搬されるが、しかしながら、この全装置は、好適には車両２７、好適には消防隊自動車またはこの種の車両で牽引されるトレーラの上に、あるいは最も好適には図示される水圧プラットホーム等の上昇機構の上に装着される。機構は操作者室２８を備え、そしてそのノズル１１から離間する端部には、アーム１８が操作者室に対し移動可能に連結されている。ここで、導管１０は、操作者室２８と消防隊車両２７等の車台２９との間に延在され、そして前記車台の上に、モータ１６、高圧ポンプ１７、および研磨剤１４を収容する容器１５が、付属操作装置および補助機器と共に搭載されている。
【００２２】
救出隊員が火災建物の屋根１上等を歩行する必要をなくし、そして安全性を更に向上するために、装置の少なくともアーム１８およびノズル１１は、作動手段１９および／または回転装置２１を介して、操作者室２８からおよび／または穴開け領域の近接領域から離間する別の場所から遠隔操作される。
【００２３】
本発明は、説明しおよび図示した実施例に限定さるべきではなく、添付される請求の範囲に規定される保護範囲内において種々随意に変更され得ることは理解されるであろう。
【図面の簡単な説明】
【図１】  輸送状態における消防隊車両の斜め前方から見た略斜視図であり、この場合車両は、本発明の装置を装着するプラットホーム形式の上昇装置を含んでいる。
【図２】  図１と同じ車両の同様な斜視図であるが、幾つかの可能な消火位置の中の一つにおける車両および装置を示している。
【図３】  車両の上部部分の側面図であり、この上部部分は、操作者室、屋根の穴開け位置に対応する本発明の装置部分を支持している。
【図４】  図３の操作者室および装置の上方から見た図である。
【図１】
0003761405.tif 000002
【図２】
0003761405.tif 000003
【図３】
0003761405.tif 000004
【図４】
0003761405.tif 000005